(57)【要約】【課題】画像形成装置等の電気機器にユーザが機能設定を登録する際に、ユーザフレンドリーな案内表示を行いつつも、ユーザにとって不要な案内表示を削減可能として、ユーザが機能設定を登録する際の操作性を更に向上させる。【解決手段】複合機１における各処理項目を、ウィザード形式で表示される第１種受付画面で設定するメインの処理項目とは別に、ウィザード形式と異なる表示形式で表示される第２種受付画面で設定値を設定するサブの処理項目を設定できるようにし、サブの処理項目についての設定値をウィザード形式で表示される受付画面で設定入力する必要をなくして、その分、各処理項目の設定値をウィザード形式で表示される受付画面のみで設定入力できるようにする構成に比して、電気機器に処理項目の設定値をユーザが登録する際の、ユーザにとって不要な案内表示を削減するようにした。【選択図】図１１
2011159045.tif 000002
【特許請求の範囲】
【請求項１】
表示部と、
当該操作装置を備えた電気機器における各処理項目のうちメインの処理項目についての設定値を設定入力させるべくウィザード形式で表示される第１種受付画面を表示部に表示させる第１の表示制御部と、
前記電気機器における各処理項目の中から前記メインの処理項目として設定する処理項目を選択する入力を行うための第１の入力操作部と、
前記第１の入力操作部により選択されたメインの処理項目につき、前記第１種受付画面を用いた設定値の設定入力を行うための第２の入力操作部と、
当該操作装置を備えた電気機器における各処理項目のうちサブの処理項目についての設定値を設定入力させるべく、ウィザード形式と異なる表示形式で表示される第２種受付画面を前記第１種受付画面と並べて表示部に表示させる第２の表示制御部と、
前記電気機器における各処理項目の中から前記サブの処理項目として設定する処理項目を選択する入力を行うための第３の入力操作部と、
前記第３の入力操作部により選択されたサブの処理項目につき、前記第２種受付画面を用いた設定値の設定入力を行うための第４の入力操作部と、
前記第１乃至第４の入力操作部により入力された処理項目及び設定値を、前記電気機器が実施すべき動作として記憶する記憶部と
を備える操作装置。
【請求項２】
前記表示制御部は、前記第１種受付画面が前記表示部に表示されている間、前記第２種受付画面も前記表示部に表示させる請求項１に記載の操作装置。
【請求項３】
前記第２種操作画面は、前記サブの処理項目の項目名と、前記サブの各処理項目についての現在の設定値とを対応付けて一覧表示形式で表示するものであり、
前記第４の入力操作部は、前記第２種受付画面を用いて、前記サブの各処理項目についての現在の設定値を変更する入力を行うためのものである請求項１又は２に記載の操作装置。
【請求項４】
前記表示部と、
請求項１乃至３の何れか一項に記載の操作装置と、
前記記憶部に記憶されたメインの処理項目及びサブの処理項目についての設定値に基づいて動作を行う動作部と
を備えた電気機器。
【発明の詳細な説明】
【技術分野】
【０００１】
本発明は、画像形成装置を始めとする各種の電気機器で実行可能な機能についての各設定を当該電気機器に記憶させる際の技術に関する。
【背景技術】
【０００２】
従来から、画像形成装置等の電気機器では、コピー動作時に適用する用紙サイズ、倍率、濃度、集約印刷、原稿画質を設定する際等のユーザによる機能実行時の操作性を向上させるために、その表示部にウィザード形式表示（ユーザ対話形式）での機能設定画面を表示させるものが知られている（下記特許文献１参照）。これによれば、ユーザは、表示部に順次切換表示される各画面による案内に従えば、コピー動作に適用する設定の内容を、従来よりも簡単に画像形成装置に登録することが可能である。
【先行技術文献】
【特許文献】
【０００３】
【特許文献１】特開２００１−４７７０８号公報
【発明の概要】
【発明が解決しようとする課題】
【０００４】
しかしながら、上記ウィザード形式表示での案内に従って設定の内容を登録する場合、当該ウィザード形式表示は、登録すべき処理項目の全てをユーザに対して案内表示するため、ユーザによって変更が不要な処理項目まで案内表示する。このため、ユーザにとって変更不要な処理項目がある場合には、当該ウィザード形式表示による案内を行うと、却って、操作手順が増えてしまうという問題がある。
【０００５】
本発明は、上記の問題を解決するためになされたもので、画像形成装置等の電気機器にユーザが機能設定を登録する際に、ユーザフレンドリーな案内表示を行いつつも、ユーザにとって不要な案内表示を削減可能として、ユーザが機能設定を登録する際の操作性を更に向上させることを目的とする。
【課題を解決するための手段】
【０００６】
請求項１に記載の発明は、
表示部と、
当該操作装置を備えた電気機器における各処理項目のうちメインの処理項目についての設定値を設定入力させるべくウィザード形式で表示される第１種受付画面を表示部に表示させる第１の表示制御部と、
前記電気機器における各処理項目の中から前記メインの処理項目として設定する処理項目を選択する入力を行うための第１の入力操作部と、
前記第１の入力操作部により選択されたメインの処理項目につき、前記第１種受付画面を用いた設定値の設定入力を行うための第２の入力操作部と、
当該操作装置を備えた電気機器における各処理項目のうちサブの処理項目についての設定値を設定入力させるべく、ウィザード形式と異なる表示形式で表示される第２種受付画面を前記第１種受付画面と並べて表示部に表示させる第２の表示制御部と、
前記電気機器における各処理項目の中から前記サブの処理項目として設定する処理項目を選択する入力を行うための第３の入力操作部と、
前記第３の入力操作部により選択されたサブの処理項目につき、前記第２種受付画面を用いた設定値の設定入力を行うための第４の入力操作部と、
前記第１乃至第４の入力操作部により入力された処理項目及び設定値を、前記電気機器が実施すべき動作として記憶する記憶部と
を備える操作装置である。
【０００７】
この発明によれば、前記電気機器における各処理項目のうち、第１の入力操作部を用いて選択されたメインの処理項目について、設定値を設定入力させるための第１種受付画面が、第１の表示制御部によりウィザード形式で表示部に表示される。そして、第２の入力操作部により、前記メインの処理項目についての設定値の設定入力が、前記第１種受付画面を用いて行われると、前記記憶部により該設定値が記憶される。
【０００８】
また、電気機器における各処理項目のうち、第３の入力操作部を用いて選択されたサブの処理項目について、設定値を設定入力させるための第２種受付画面が、第２の表示制御部によりウィザード形式と異なる表示形式で前記第１種受付画面と並べて表示部に表示される。そして、第４の入力操作部により、前記サブの処理項目についての設定値の設定入力が、前記第２種受付画面を用いて行われると、前記記憶部により該設定値が記憶される。
【０００９】
このように、電気機器における各処理項目を、ウィザード形式で表示される第１種受付画面で設定するメインの処理項目とは別に、一覧表示で表示される第２種受付画面で設定値を設定するサブの処理項目を設定できるようにしたので、サブの処理項目についての設定値をウィザード形式で表示される受付画面で設定入力する必要がなくなる分、各処理項目の設定値をウィザード形式で表示される受付画面のみで設定入力できるようにする構成に比して、電気機器に処理項目の設定値をユーザが登録する際の、ユーザにとって不要な案内表示を削減することが可能となる。
【００１０】
請求項２に記載の発明は、請求項１に記載の操作装置において、前記表示制御部は、前記第１種受付画面が前記表示部に表示されている間、前記第２種受付画面も前記表示部に表示させるものである。
【００１１】
この発明によれば、前記表示制御部は、前記第１種受付画面が前記表示部に表示されている間、前記第２種受付画面も前記表示部に表示させるようにしたので、ユーザは、メインの処理項目の設定値の設定入力とサブの処理項目の設定値の設定入力とを同時並行的に行うことができる。これにより、例えば前記第１種受付画面を用いたメインの処理項目の設定値の設定入力が完了した後に、前記第２種受付画面を用いたサブの処理項目の設定値の設定入力を行う構成に比して、各処理項目の設定値の設定入力を早く終えることができる。
【００１２】
請求項３に記載の発明は、請求項１又は２に記載の操作装置において、前記第２種操作画面は、前記サブの処理項目の項目名と、前記サブの各処理項目についての現在の設定値とを対応付けて一覧表示形式で表示するものであり、前記第４の入力操作部は、前記第２種受付画面を用いて、前記サブの各処理項目についての現在の設定値を変更する入力を行うためのものであるである。
【００１３】
この発明によれば、前記第２種操作画面を、前記サブの処理項目の項目名と、前記サブの各処理項目についての現在の設定値とを対応付けて一覧表示形式で表示するものとし、前記第２種受付画面を用いた前記サブの各処理項目についての現在の設定値を変更する入力を、前記第４の入力操作部で行えるようにしたので、ユーザは、前記サブの処理項目についての現在の設定値の確認や該設定値の変更を行い易くなる。
【００１４】
請求項４に記載の発明は、前記表示部と、請求項１乃至３の何れか一項に記載の操作装置と、前記記憶部に記憶されたメインの処理項目及びサブの処理項目についての設定値に基づいて動作を行う動作部とを備えた電気機器である。
【００１５】
この発明によれば、電気機器において、請求項１乃至３の何れか一項に記載の発明における効果を奏することができる。
【発明の効果】
【００１６】
本発明によれば、各処理項目の設定値をウィザード形式で表示される受付画面のみで設定入力できるようにする構成に比して、電気機器に処理項目の設定値をユーザが登録する際の、ユーザにとって不要な案内表示を削減することが可能となるため、ユーザが機能設定を登録する際の操作性を更に向上させることができる。
【図面の簡単な説明】
【００１７】
【図１】本発明の一実施形態に係る画像形成装置の一例である複合機の構成を示す側面概略図である。
【図２】操作部の部分拡大図である。
【図３】図１に示す複合機の制御ブロック図である。
【図４】複合機におけるワークフロー作成及び登録時の処理を示すフローチャートである。
【図５】複合機におけるワークフロー作成及び登録時の処理を示すフローチャートである。
【図６】コピー機能についてのワークフロー作成及び登録時の表示部の表示画面の遷移を示す図である。
【図７】コピー機能についてのワークフロー作成及び登録時の表示部の表示画面の遷移を示す図である。
【図８】ワークフロー削除時の表示部の表示画面の遷移を示す図である。
【図９】複合機におけるワークフロー呼出時の処理を示すフローチャートである。
【図１０】コピー機能についてのワークフロー呼出時の表示画面の遷移を示す図である。
【図１１】コピー機能についてのワークフロー呼出時の表示画面の拡大図である。
【発明を実施するための形態】
【００１８】
以下、本発明の一実施形態に係る操作装置及びこれを備えた電気機器について説明する。図１は、本発明に係る電気機器の一例である複合機の構成を示す側面概略図である。図２は、操作部４００の部分拡大図である。
【００１９】
複合機１は、スキャナ機能、ファクシミリ機能、プリンタ機能、コピー機能等を兼ね備えている。複合機１は、本体部２００と、本体部２００の用紙搬出側、例えば左側に配設された用紙後処理部３００と、操作者が種々の操作指令等を入力するための操作部４００と、本体部２００の上部に配設された原稿読取部５００と、原稿読取部５００の上部に配設された原稿給送部６００とから構成される。
【００２０】
図２にも示すように、操作部４００は、ＬＣＤ（Liquid Crystal Display）等からなる表示部４１０と、操作者から操作指示が入力される操作キー部４３０とを備える。操作キー部４３０は、ヘルプキー４３１、スタートキー４３２、テンキー４３３及び機能切換キー４３４等を備える。
【００２１】
ヘルプキー４３１は、操作者から、スキャナ機能、ファクシミリ機能、プリンタ機能、コピー機能等に関する各操作方法を表示する操作案内画面（ヘルプ画面）を表示部４１０に表示させる指示を受け付けるものである。
【００２２】
スタートキー４３２は、コピー動作やスキャン動作等の各動作を開始させる指示を操作者から受け付ける。テンキー４３３は、コピー部数を指定する指示等を操作者から受け付けるキーである。機能切換キー４３４は、コピー機能、送信機能（スキャナ機能、ファクシミリ機能等）、ボックス機能（後述するＨＤＤ７４内に設けられている操作者毎の記憶領域（メールボックス）に記憶されているデータを読み出してプリントする機能）等を相互に切り替える機能切換指示を操作者から受け付けるキーである。
【００２３】
表示部４１０は、ＬＣＤ（Liquid Crystal Display）等からなり、タッチパネルを組み合わせたタッチパネルユニット等を備えている。表示部４１０は、種々の操作画面を表示すると共に、操作者が表示面（表示されている操作キー）をタッチすることで種々の機能の実行指令を入力することが可能とされている。
【００２４】
ワークフローボタン４５０は、ユーザにより予め設定されている設定内容でコピー動作やスキャン動作等の機能を実行するワークフロー動作や、当該ワークフロー動作を登録、変更、又は削除する操作を行うための動作を開始させる指示の入力をユーザから受け付けるボタンである。
【００２５】
コピーボタン４５１は、コピー機能の開始指示をユーザから受け付けるためのボタンである。送信ボタン４５２は、スキャナによりドキュメントデータを読み取って、指定された相手先にメールで送信するメール送信機能の開始指示をユーザから受け付けるためのボタンである。文書ボックスボタン４５３は、スキャナによりドキュメントデータを読み取って、指定された保存先（複合機１のＨＤＤ７４内に設けられたフォルダ等）に保存する文書ボックス機能の開始指示をユーザから受け付けるためのボタンである。コピーボタン４５１、送信ボタン４５２、文書ボックスボタン４５３のいずれかがユーザにより押下操作されると、押下されたボタンに対応する機能の初期表示画面が表示部４１０に表示され、各機能の処理が開始される。
【００２６】
図１に戻り、原稿給送部６００は、原稿載置部６０１、給紙ローラ６０２、原稿搬送部６０３及び原稿排出部６０４を備え、原稿読取部５００は、スキャナ５０１を備える。給紙ローラ６０２は、原稿載置部６０１にセットされた所要枚数分の原稿を一枚ずつ繰り出し、原稿搬送部６０３は、繰り出される原稿を順次スキャナ５０１の読み取り位置に搬送する。スキャナ５０１は搬送される原稿の画像を順次読み取り、読み取られた原稿は原稿排出部６０４に排出される。
【００２７】
本体部２００は、複数の給紙カセット２０１、複数の給紙ローラ２０２、転写ローラ２０３、感光体ドラム２０４、露光装置２０６、現像装置２０７、定着ローラ２０８、排出口２０９及び排出トレイ２１０等を備える。
【００２８】
感光体ドラム２０４は、矢印方向に回転しながら帯電装置（図示省略）によって一様に帯電される。露光装置２０６は、原稿読取部５００において読み取られた原稿の画像に応じて変調されたレーザ光を感光体ドラム２０４上に走査し、ドラム表面に各色毎の静電潜像を形成する。現像装置２０７は、黒色の現像剤を感光体ドラム２０４に供給してトナー画像を形成する。
【００２９】
一方、給紙ローラ２０２は、印刷用紙が収納された給紙カセット２０１から印刷用紙を引き出し、転写ローラ２０３まで給送する。転写ローラ２０３は、搬送された印刷用紙に感光体ドラム２０４上のトナー像を転写させ、定着ローラ２０８は、転写されたトナー像を加熱して印刷用紙に定着させる。その後、印刷用紙は、本体部２００の排出口２０９から用紙後処理部３００に搬入される。また、印刷用紙は、必要に応じて排出トレイ２１０へも排出される。
【００３０】
用紙後処理部３００は、搬入口３０１、印刷用紙搬送部３０２、搬出口３０３及びスタックトレイ３０４等を備える。印刷用紙搬送部３０２は、排出口２０９から搬入口３０１に搬入された印刷用紙を順次搬送し、最終的に搬出口３０３からスタックトレイ３０４へ印刷用紙を排出する。スタックトレイ３０４は、搬出口３０３から搬出された印刷用紙の集積枚数に応じて矢印方向に上下動可能に構成されている。
【００３１】
図３は、図１に示す複合機１の制御ブロック図である。複合機１は、スキャナ部１１、画像処理部２１、プリンタ部３１、操作部４００、制御部５１、ネットワークＩ／Ｆ（インターフェース）部７１、ＨＤＤ（ハードディスクドライブ）７４及びファクシミリ通信部７５を備える。
【００３２】
スキャナ部１１は、図１に示すスキャナ５０１を構成する露光ランプ１２及びＣＣＤ（電荷結合素子）１３を含む。スキャナ部１１は、露光ランプ１２により原稿を照射し、その反射光をＣＣＤ１３で受光することにより、原稿から画像を読み取り、読み取った画像に対応する画像を画像処理部２１へ出力する。
【００３３】
画像処理部２１は、補正部２２、画像加工部２３及び画像メモリ２４を含む。画像処理部２１は、読み取られた画像を必要に応じて補正部２２及び画像加工部２３により処理する。画像処理部２１によって処理された画像は印刷用に画像メモリ２４に記憶され、又はプリンタ部３１に出力される。補正部２２は、読み取られた画像に対してレベル補正、γ補正等の所定の補正処理を行う。画像加工部２３は、画像の圧縮又は伸張処理、及び拡大又は縮小処理等の種々の加工処理を行う。
【００３４】
プリンタ部３１は、図１に示す給紙カセット２０１及び給紙ローラ２０２等から構成される用紙搬送部３２、図１に示す感光体ドラム２０４、露光装置２０６及び現像装置２０７等から構成される画像形成部３３、図１に示す転写ローラ２０３等から構成される転写部３４、及び図１に示す定着ローラ２０８等から構成される定着部３５を含む。
【００３５】
プリンタ部３１は、スキャナ部１１により読み取られた原稿データを用いて画像を記録紙に印刷する。具体的には、用紙搬送部３２は記録紙を画像形成部３３へ搬送し、画像形成部３３は上記の画像に対応するトナー像を形成し、転写部３４はトナー像を記録紙に転写し、定着部３５はトナー像を記録紙に定着させて画像を形成する。
【００３６】
ネットワークＩ／Ｆ部７１は、ネットワークインタフェース（10/100Base-TX）等を用い、ＬＡＮを介して外部装置との間での種々のデータの送受信を制御する。ＨＤＤ７４は、スキャナ部１１によって読み取られた画像及び当該画像に設定されている出力形式等を記憶する。
【００３７】
操作部４００は、図１及び図２に示したように表示部４１０、操作キー部４３０を備える。表示部４１０は、タッチパネル機能により各種指示の入力を受け付ける複数のキーを表示制御部５２２による制御の下で表示する。操作キー部４３０には、図２に示した機能切換キー４３４、スタートキー４３２、テンキー４３３等が設けられている。制御部５１は、上記表示部４１０及び操作部４００の各キーから、操作者によって入力された指示を受け付ける。操作部４００は、第１〜第４入力操作部として機能を有する。
【００３８】
ファクシミリ通信部７５は、符号化／復号化部（図示省略）、変復調部（図示省略）及びＮＣＵ（Network Control Unit）（図示省略）を含む。ファクシミリ通信部７５は、スキャナ部１１によって読み取られた原稿の画像データを、電話回線を介してファクシミリ装置等へ送信したり、ファクシミリ装置等から送信された画像データを受信したりする。符号化／復号化部は、送信する画像データを圧縮・符号化し、受信した画像データを伸長・復号化する。変復調部は、圧縮・符号化された画像データを音声信号に変調し、受信した信号（音声信号）を画像データに復調する。ＮＣＵは、送受信先となるファクシミリ装置等との電話回線による接続を制御する。
【００３９】
制御部５１は、画像形成装置１の動作制御を司るＣＰＵと、データを一時的に保管する機能や作業領域としての機能を有するＲＡＭ（Random Access Memory）、プログラムを予め記憶するＲＯＭ、及び、前記プログラム等をＲＯＭから読み出して実行するＣＰＵを備えて構成されており、ＣＰＵとＲＡＭ及びＲＯＭとはデータバスを介してデータの授受を行うように構成されている。
【００４０】
制御部５１は、ＣＰＵがＲＯＭ等に格納されている本実施形態特有の画像処理プログラムを実行することで、記憶部５２１、表示制御部５２２、指示受付部５２３、表示形式受付部５２４及びテンプレート選択受付部５２５としての機能を有する。
【００４１】
記憶部５２１は、操作者に対する操作案内を表示するための各種データ、特に、本実施形態では、コピー動作やスキャン動作等の機能を実行するために登録が必要な各設定を受け付けるための受付画面を表示部４１０に表示させるための表示用データや、スキャナ機能、ファクシミリ機能、プリンタ機能、コピー機能等の各機能の動作状況等を表示するための画像データ（画像、文字、記号等の各データを含む）を記憶している。
【００４２】
また、記憶部５２１は、後述する指示受付部５２３によりユーザから受け付けられたコピー動作やスキャン動作等の機能を実行するために登録が必要な各設定の内容に、後述する表示形式受付部５２４によって受け付けられた表示形式と、後述するテンプレート選択受付部５２５で受け付けられたテンプレートとを関連付けて記憶する。
【００４３】
さらに、記憶部５２１は、複合機１で実行可能な機能についての各設定の組み合わせでなるテンプレート（定型フォーム）を複数記憶する。当該テンプレートは、例えば、コピー動作等の各機能毎に、各機能で適用する部数、用紙サイズ、倍率、濃度、集約印刷、原稿画質、両面分割等の設定の項目を記憶したものである。当該テンプレートは、コピー動作等の機能を実行するために登録が必要な各設定をユーザに案内する処理を行うためのワークフロー、又はコピー動作等の機能を実行する際に適用される各設定の内容を記憶して当該各設定内容でコピー動作等の機能を実行させるワークフローに用いられる。
【００４４】
表示制御部５２２は、表示部４１０の表示動作を制御する。表示制御部５２２は、例えば、コピー動作やスキャン動作等の機能を実行するために登録が必要な各設定をユーザから受け付けるための受付画面を表示部４１０に表示させる。
【００４５】
指示受付部５２３は、表示制御部５２２による上記各設定の受付画面の表示時に、当該各設定の内容を指定する指示を、例えば表示部４１０に備えられるタッチパネル機能により、ユーザから受け付ける。また、指示受付部５２３は、表示制御部５２２が表示部４１０に削除指示受付画像を表示させているときに、記憶部５２１に記憶されている前記各設定の内容や、これに関連付けられたテンプレート及び表示形式を削除する削除指示等をユーザから受け付ける。
【００４６】
表示形式受付部５２４は、指示受付部５２３により受け付けられた上記各設定の内容をそれぞれ別画面で対話型により順次表示するウィザード形式表示で表示する処理項目（以下、メインの処理項目という）、指示受付部５２３により受け付けられた上記各設定の内容を並記して一画面に一覧表示する処理項目（以下、サブの処理項目という）を選択する表示形式選択指示を、例えば上記タッチパネル機能によりユーザから受け付ける。
【００４７】
テンプレート選択受付部５２５は、記憶部５２１に記憶されたテンプレートから所望のテンプレートの選択を、例えば上記タッチパネル機能によりユーザから受け付ける。
【００４８】
次に、複合機１におけるワークフロー作成及び登録時の処理を説明する。図４及び図５は、複合機１におけるワークフロー作成及び登録時の処理を示すフローチャートである。図６は、コピー機能についてのワークフロー作成及び登録時の表示部４１０の表示画面の遷移を示す図、図７はスキャン機能についてのワークフロー作成及び登録時の表示部４１０の表示画面の遷移を示す図である。図８，図９は表示部４１０の表示画面の例を示す図である。図８はワークフロー削除時の表示部４１０の表示画面の遷移を示す図である。
【００４９】
複合機１の主電源がユーザによりオンとされ、例えば、コピーボタン４５１が押下操作されてコピー機能が開始されるとき、表示制御部５２２は、表示部４１０に、図略の初期画面を表示させる（Ｓ１）。
【００５０】
この初期画面の表示時に、操作部４００のワークフローボタン４５０がユーザにより押下され、指示受付部５２３に、ワークフローの開始指示が受け付けられると（Ｓ２でＹＥＳ）、表示制御部５２２は、ワークフロー画面４１０１（図６）を表示させる（Ｓ３）。これにより、ワークフローの作成及び登録、削除の処理が開始される。表示制御部５２２は、ワークフロー画面４１０１に、ユーザからワークフローの新規登録及び削除を受け付けるための新規登録／削除ボタン４１０１ｇを表示させる。
【００５１】
なお、上記初期画面の表示時に、ワークフローボタン４５０がユーザにより押下されず、（ワークフローの開始指示が受け付けられず）、初期画面においてユーザによって指定された用紙選択や倍率等の設定内容、又は既に設定済みの設定内容で、スタートキー４３２やテンキー４３３等の押下操作が行われてコピー動作の実行指示が入力された場合は（Ｓ２でＮＯ）、当該押下操作に従って、通常通りのコピー動作等が実行される（Ｓ２５）。
【００５２】
上記表示制御部５２２によるワークフロー画面４１０１の表示中に、ユーザにより新規登録／削除ボタン４１０１ｇが押下されると、表示制御部５２２は、ワークフローの新規登録又は削除のいずれを行うかの選択指示をユーザに対して促すワークフロー登録／削除画面４１０２（図６）を表示部４１０に表示させる。
【００５３】
例えば、表示制御部５２２は、ワークフロー画面４１０１からワークフロー登録／削除画面４１０２に表示を切り換えるとき、表示部４１０の表示領域の上部から下部に向かって、又は下部から上部に向かって、ワークフロー登録／削除画面４１０２が徐々にスライド移動して表示部４１０の表示領域に現れ、最終的にはワークフロー登録／削除画面４１０２の全体が表示されるように、表示部４１０の表示を切り換える。表示制御部５２２は、ワークフロー登録／削除画面４１０２に、ユーザからワークフローの新規登録指示を受け付けるための新規登録ボタン４１０２ａと、ユーザからワークフローの削除指示を受け付けるための削除ボタン４１０２ｂを表示させる。
【００５４】
ここで、ユーザにより削除ボタン４１０２ｂが押下されて、タッチパネル機能により指示受付部５２３にワークフローの削除指示が受け付けられると（Ｓ４で「削除指示」）、表示制御部５２２は、表示部４１０に、削除するワークフローの選択を促す削除対象選択画面４１０３（図８）を表示させる。この削除対象選択画面４１０３には、図８に示すように、削除対象となる各ワークフローを示す画像Ｗ１，Ｗ２…が表示される。例えば、表示制御部５２２は、ワークフロー登録／削除画面４１０２から削除対象選択画面４１０３に表示を切り換えるとき、表示部４１０の表示領域の左部から右部に向かって、又は右部から左部に向かって、削除対象選択画面４１０３が徐々にスライド移動して表示部４１０の表示領域に現れ、最終的には削除対象選択画面４１０３の全体が表示されるように、表示部４１０の表示を切り換える。
【００５５】
なお、記憶部５２１には、削除が許可されるワークフロー（例えば、ユーザによりカスタマイズ作成されたワークフロー）と、削除が許可されないワークフロー（例えば、デフォルトで装備されているワークフロー）とを示す情報が記憶されている。表示制御部５２２は、当該情報に従って、削除が許可されるワークフローのみを画像Ｗ１，Ｗ２…として削除対象選択画面４１０３に表示させ、削除が許可されないワークフローは削除対象選択画面４１０３に表示させないか、或いは、図８に示すようにグレーアウト表示とし、ユーザに対して、削除が許可されるワークフローと、削除が許可されないワークフローとを認識させる。
【００５６】
この削除対象選択画面４１０３の表示時に、ユーザにより、削除が許可されるワークフローを示す画像Ｗ１，Ｗ２…のいずれかが押下されて、タッチパネル機能により、指示受付部５２３に、削除の対象とするワークフローの選択が受け付けられると（Ｓ２６でＹＥＳ）、表示制御部５２２は削除確認画面４１０８ｄを表示部４１０に表示させる。例えば、表示制御部５２２は、削除対象選択画面４１０３から削除確認画面４１０８ｄに表示を切り換えるとき、表示部４１０の表示領域の上部から下部に向かって、又は下部から上部に向かって、削除確認画面４１０８ｄが徐々にスライド移動して表示部４１０の表示領域に現れ、最終的には削除確認画面４１０８ｄの全体が表示されるように、表示部４１０の表示を切り換える。
【００５７】
この削除確認画面４１０８ｄには、ユーザから上記ワークフローの削除を承認する旨の指示を受け付けるための「はい」ボタン４１０８ｄ１と、ユーザから上記ワークフローの削除を拒否する旨の指示を受け付けるための「いいえ」ボタン４１０８ｄ２が表示制御部５２２によって表示される。ここで、ユーザにより「はい」ボタン４１０８ｄ１が押下操作され、制御部５２１が、ワークフローの削除を承認する旨の指示を受け付けると、制御部５２１は、当該選択されたワークフローを構成する例えばコピー機能についての各設定の内容と、これに関連付けられたテンプレート及び表示形式を記憶部５２１から削除する（Ｓ２７）。この後、表示制御部５２２は削除報知画面４１０９ｄを表示部４１０に表示させる。なお、特に図４及び図５では図示していないが、ユーザにより「いいえ」ボタン４１０８ｄ２が押下操作され、制御部５２１が、ワークフローの削除を拒否する旨の指示を受け付けると、処理はＳ３に戻る。
【００５８】
一方、ワークフロー登録／削除画面４１０２の表示時に、ユーザにより新規登録ボタン４１０２ａが押下されて、タッチパネル機能により指示受付部５２３にワークフローの新規登録指示が受け付けられると（Ｓ４で「新規登録指示」）、表示制御部５２２は、表示部４１０に、ワークフローの作成に用いるテンプレートの選択を促すテンプレート選択画面４１０４（図６）を表示部４１０に表示させる。このテンプレート選択画面４１０４には、ワークフローの作成に用いることが可能な各テンプレートを示す画像Ｔ１〜Ｔ６が表示される。
【００５９】
このテンプレート選択画面４１０４の表示時に、ユーザにより、テンプレートを示す画像Ｔ１〜Ｔ６のいずれかが押下されて、タッチパネル機能により、指示受付部５２３に、ワークフローの作成に用いるテンプレートの選択が受け付けられると（Ｓ５でＹＥＳ）、表示制御部５２２は、当該選択されたテンプレートを記憶部５２１から読み出し、当該読み出したテンプレートが示す機能の各設定（例えば、コピー機能の場合、部数、用紙サイズ、倍率、濃度、集約印刷、原稿画質、両面分割等）についてのそれぞれの受付画面４１０５を表示部４１０に順次表示する（Ｓ６）。記憶部５２１には、当該各設定の受付画面を表示部４１０に表示させるための表示用データを記憶している。
【００６０】
指示受付部５２３は、上記各設定についての受付画面４１０５の表示時に、当該受付画面４１０５上に表示した操作ボタン（第２の入力操作部に相当）のユーザによる操作に基づいて、タッチパネル機能により、当該受付画面で案内している設定についての内容指定（例えば、上記部数の具体数等）を受け付ける（Ｓ７）。
【００６１】
表示制御部５２２は、上記読み出したテンプレートが示す機能についての全ての設定の受付画面を表示し、各受付画面での内容指定を受け付けるまで受付画面の表示処理及び設定内容の受付処理を繰り返し（Ｓ８）、全ての設定についての受付画面の表示処理及び設定内容の受付処理を完了すると（Ｓ８でＮＯ）、表示部４１０に、表示形式選択画面４１０６を表示する（Ｓ９）。
【００６２】
表示制御部５２２は、この表示形式選択画面４１０６に、上述したウィザード形式表示及び一覧表示の何れかの表示形式の選択をユーザに促すウィザード形式表示ボタン４１０６ａ，一覧表示ボタン４１０６ｂを表示させる。ウィザード形式表示ボタン４１０６ａは、第１の入力操作部に相当し、一覧表示ボタン４１０６ｂを第３の入力操作部に相当する。
【００６３】
この表示形式選択画面４１０６の表示時に、ウィザード形式表示ボタン４１０６ａ，一覧表示ボタン４１０６ｂのいずれがユーザによって押下され、タッチパネル機能により、表示形式受付部５２４に、何れかの表示形式の選択指示が受け付けられると（Ｓ１０でＹＥＳ）、制御部５２１は、Ｓ７等において指示受付部５２３により受け付けられた上記各設定の内容に、Ｓ１１等で表示形式受付部５２４によって受け付けられた表示形式と、Ｓ５においてテンプレート選択受付部５２５で受け付けられたテンプレートとを関連付ける（Ｓ１１）。すなわち、当該関連付けにより、例えばコピー動作等の機能を実行する際に、上記Ｓ７等において指示受付部５２３により受け付けられた上記各設定の内容をユーザに対して確認させる表示を、Ｓ１１等で表示形式受付部５２４によって受け付けられた表示形式で行い、当該各設定の内容でコピー動作等の機能を実行させるワークフローが作成される。なお、Ｓ１０及びＳ１１で受け付けられた表示形式は、後述するワークフローの呼出処理における各設定の受付画面の表示時に適用されるものである。
【００６４】
続いて、Ｓ１１の処理後、表示制御部５２２は、再び、表示部４１０に、ワークフローの作成に用いるウィザード表示形式用のテンプレートの選択を促すテンプレート選択画面４１０４（図６）を表示部４１０に表示させる（Ｓ１２）。このテンプレート選択画面４１０４には、ワークフローの作成に用いることが可能な各テンプレートを示す画像Ｔ１〜Ｔ６が表示される。
【００６５】
このテンプレート選択画面４１０４の表示時に、ユーザにより、テンプレートを示す画像Ｔ１〜Ｔ６のいずれかが押下されて、タッチパネル機能により、指示受付部５２３に、ワークフローの作成に用いるテンプレートの選択が受け付けられると（Ｓ１３でＹＥＳ）、表示制御部５２２は、当該選択されたテンプレートを記憶部５２１から読み出し、当該読み出したテンプレートが示す機能の各設定（例えば、用紙サイズ等）についてのそれぞれの受付画面４１０５’をウィザード形式表示により表示部４１０に順次表示する（Ｓ１４）。記憶部５２１には、当該各設定の受付画面４１０５’を表示部４１０に表示させるための表示用データを記憶している。
【００６６】
指示受付部５２３は、上記各設定についての受付画面４１０５’の表示時に、当該受付画面上に表示した操作ボタン（第４の入力操作部に相当）のユーザによる操作に基づいて、タッチパネル機能により、当該受付画面で案内している設定についての内容指定（例えば、上記用紙サイズ）を受け付ける（Ｓ１５）。
【００６７】
表示制御部５２２は、上記読み出したテンプレートが示す機能についての全ての設定の受付画面を表示し、各受付画面での内容指定を受け付けるまで受付画面の表示処理及び設定内容の受付処理を繰り返し（Ｓ１６）、全ての設定についての受付画面の表示処理及び設定内容の受付処理を完了すると（Ｓ１６でＮＯ）、表示部４１０に、表示形式選択画面４１０６を表示する（Ｓ１７）。なお、ここでは、Ｓ１０で受け付けられた表示形式がウィザード表示形式であるものとすることを前提として、一覧表示形式の選択をユーザに促す一覧表示ボタン４１０６ｂのみが表示部４１０に表示させる。
【００６８】
この表示形式選択画面４１０６の表示時に、一覧表示ボタン４１０６ｂがユーザによって押下され、タッチパネル機能により、表示形式受付部５２４に、一覧表示形式の選択指示が受け付けられると（Ｓ１８でＹＥＳ）、制御部５２１は、Ｓ１５等において指示受付部５２３により受け付けられた上記各設定の内容に、Ｓ１８等で表示形式受付部５２４によって受け付けられた表示形式と、Ｓ５においてテンプレート選択受付部５２５で受け付けられたテンプレートとを関連付ける（Ｓ１９）。すなわち、当該関連付けにより、例えばコピー動作等の機能を実行する際に、上記Ｓ１５等において指示受付部５２３により受け付けられた上記各設定の内容をユーザに対して確認させる表示を、Ｓ１８等で表示形式受付部５２４によって受け付けられた表示形式で行い、当該各設定の内容でコピー動作等の機能を実行させるワークフローが作成される。なお、Ｓ１８及びＳ１９で受け付けられた表示形式は、後述するワークフローの呼出処理における各設定の受付画面の表示時に適用されるものである。
【００６９】
続いて、表示部４１０に、当該作成されたワークフローの名称の入力画面４１０７を表示させる（Ｓ２０）。この入力画面４１０７には、キーボード画像４１０７ａ等が表示され、ユーザが当該キーボード画像を押下することでタッチパネル機能により、ユーザからのワークフロー名の入力が可能とされている。
【００７０】
上記入力画面４１０７の操作により、ユーザからワークフロー名が入力されると（Ｓ２１）、表示制御部５２２は、Ｓ７，Ｓ１５等において指示受付部５２３により受け付けられた上記各設定の内容を並べて一覧表示した画像４１０８ａと、当該一覧表示した各設定の内容で登録する指示を受け付けるための登録ボタン４１０８ｂと、当該一覧表示した各設定の内容を変更する指示を受け付けるための設定変更ボタン４１０８ｃとを有する確認画面４１０８を表示部４１０に表示させる（Ｓ２２）。
【００７１】
例えば、表示制御部５２２は、入力画面４１０７から確認画面４１０８に表示を切り換えるとき、表示部４１０の表示領域の上部から下部に向かって、又は下部から上部に向かって、一覧表示画像４１０８ａが徐々にスライド移動して表示部４１０の表示領域に現れ、最終的には一覧表示画像４１０８ａの全体が現れて確認画面４１０８が表示されるように、表示部４１０の表示を切り換える。
【００７２】
ここで、本実施形態においては、表示制御部５２２は、図７に示すように、後述するワークフローの呼出処理における各設定の受付画面の表示時に、ウィザード表示形式で表示する処理項目（メインの処理項目）と、一覧表示で表示する処理項目（サブの処理項目）とに分けて、各設定の内容を並べて一覧表示した画像４１０８ａを表示部４１０に表示させるようにしている。
【００７３】
この確認画面４１０８の表示時に、ユーザにより登録ボタン４１０８ｂが押下され、指示受付部５２３に、一覧表示した各設定の内容で登録する指示が受け付けられると（Ｓ２３で「登録指示」）、制御部５２１は、当該一覧表示されている各設定の内容と、表示形式受付部５２４によって受け付けられた表示形式と、Ｓ５，Ｓ１３においてテンプレート選択受付部５２５で受け付けられたテンプレートとを記憶部５２１に記憶させる（Ｓ２４）。なお、この後、表示制御部５２２は、表示部４１０に、登録完了をユーザに対して報知する登録完了画面４１０９を表示させる。
【００７４】
また、上記確認画面４１０８の表示時に、ユーザにより設定変更ボタン４１０８ｃが押下され、指示受付部５２３に、当該一覧表示した各設定の内容を変更する設定変更指示が受け付けられると（Ｓ２３で「設定変更指示」）、表示制御部５２２は、処理をＳ６に戻し、Ｓ５で選択が受け付けられたテンプレートが示す機能の各設定（例えば、コピー機能の場合、部数、用紙サイズ、倍率、濃度、集約印刷、原稿画質、両面分割等）についての各受付画面を再び表示部４１０に順次表示する処理に戻る（Ｓ６）。
【００７５】
また、一覧表示画像４１０８ａにおける上記各設定内容の表示部分をユーザが押下操作すると、タッチパネル機能により、表示制御部５２２が、当該押下された設定内容を変更する指示を受け付け、当該押下された設定内容に対応する受付画面を表示部４１０に表示させ、制御部５２１が、この受付画面において、当該押下された設定内容の変更指示を個別に受け付けるようにしてもよい。
【００７６】
なお、上記では、コピー機能時の表示画面遷移を用いて説明したが、例えばスキャン機能時表示画面遷移は、各設定に対応する受付画面がスキャナ機能に応じた処理項目を示すものとなる。
【００７７】
次に、複合機１におけるワークフロー呼出時の処理を説明する。図９は、複合機１におけるワークフロー呼出時の処理を示すフローチャートである。図１０は、コピー機能についてのワークフロー呼出時の表示画面の遷移を示す図である。
【００７８】
複合機１の主電源がユーザによりオンとされたとき、表示制御部５２２は、表示部４１０に予め定められた初期画面を表示させる（Ｓ３１）。
【００７９】
この初期画面の表示時に、操作部４００のワークフローボタン４５０がユーザにより押下され、指示受付部５２３に、ワークフローの開始指示が受け付けられると（Ｓ３２でＹＥＳ）、表示制御部５２２は、ワークフロー画面４１０１（図１０）を表示させる（Ｓ３３）。ワークフロー画面４１０１には、記憶部５２１に記憶（登録）されている各ワークフローを示すワークフロー画像４１０１ａ〜４１０１ｆが表示される。
【００８０】
ここで、ユーザにより、新規登録／削除ボタン４１０１ｇが押下された場合は、図４及び図５に示したＳ５乃至Ｓ２４、及びＳ２６，Ｓ２７の処理が行われる。当該処理は、図４及び図５に示した通りであるため、ここでは説明を省略する。
【００８１】
ワークフロー画面４１０１の表示時に、ワークフロー画面４１０１内に表示されているワークフロー画像４１０１ａ〜４１０１ｆのいずれかがユーザによって押下され、複合機１が備える機能（例えばコピー動作等）の実行について適用するワークフローを選択するワークフロー選択指示がユーザから受け付けられると（Ｓ３４でＹＥＳ）、表示制御部５２２は、当該選択されたワークフローを記憶部５２１から読み出し、当該読み出したワークフローが示す機能の各設定（例えば、コピー機能の場合、部数、用紙サイズ、倍率、濃度、集約印刷、原稿画質、両面分割等）についてのそれぞれの受付画面（例えば、図１０に示す受付画面４１０５）を表示部４１０に表示する（Ｓ３５）。
【００８２】
ここで、図１１に示すように、前記ワークフロー画面４１０５は、ウィザード形式表示で設定値の入力を受け付ける第１種受付画面領域４１０５ａと、一覧表示で設定値の入力を受け付ける第２種受付画面領域４１０５ｂとを有する。第１種受付画面領域４１０５ａは、メインの処理項目についての設定値の入力を受け付ける受付画面（以下、第１種受付画面という）をウィザード形式表示で表示する画面領域である。
【００８３】
第２種受付画面領域４１０５ｂは、サブの処理項目についての設定値の入力を受け付ける受付画面（以下、第２種受付画面という）を表示する画面領域であり、この画面領域４１０５ｂでは、サブの処理項目についての現在の設定値が、その処理項目の項目名と対応付けられた形態で表示される。例えば、図４，図５に示すワークフロー作成及び登録時において、前記サブの処理項目として、「用紙サイズ」，「原稿サイズ」，「画質」が設定され、それらの設定値として「Ａ４」，「Ａ５」，「Ｆｉｎｅ」が設定されたものとする。
【００８４】
この場合、前記第２種受付画面領域４１０５ｂには、処理項目の名称「用紙サイズ」とその設定値「Ａ４」とが左右に並べて表示され、処理項目の名称「原稿サイズ」とその設定値「Ａ５」とが左右に並べて表示され、処理項目の名称「画質」とその設定値「Ｆｉｎｅ」とが左右に並べて表示される。
【００８５】
また、本実施形態では、前記第２種受付画面領域４１０５ｂにおいては、処理項目の表示領域若しくは設定値の表示領域を押圧することで、その処理項目について設定可能な設定値の選択肢が上下に並べて表示され、所望の設定値の表示領域を押圧することで、設定値の変更を行うことができるようになっている。
【００８６】
例えば、図１１では、処理項目「原稿サイズ」については、現在、「Ａ５」が設定値として設定されており、その他の設定値に対応するマークが白塗りのマークであるのに対して、「Ａ５」が設定値に対応するマークを黒塗りのマークとすることで、処理項目「原稿サイズ」については、現在、「Ａ５」が設定値として設定されていることを示している。
【００８７】
この状態において、例えば設定値「Ａ４」の表示領域を押圧することで、処理項目「原稿サイズ」の現在の設定値が「Ａ４」に変更され、設定値「Ａ４」に対応するマークが黒塗りのマークとされる一方、設定値「Ａ５」に対応するマークが白塗りのマークとされる。
【００８８】
前記第１種受付画面領域４１０５ａに表示した操作ボタン（例えば、図１０に示す受付画面４１０５の操作ボタン４１０５ｃ，４１０５ｄ）や、第２種受付画面領域４１０５ｂに対するユーザの操作に基づいて、タッチパネル機能により、当該受付画面で案内している処理項目についての内容指定（例えば、上記部数の具体数等）を受け付けた場合は（Ｓ３６でＹＥＳ）、当該指示された内容に設定の内容を変更する（Ｓ３７）。
【００８９】
表示制御部５２２は、上記読み出したテンプレートが示す機能についての全ての設定の受付画面を表示するまで、当該受付画面の表示処理及び設定内容の受付処理を繰り返す（Ｓ３８）。
【００９０】
ここで、前記第２種受付画面領域４１０５ｂに表示される第２種受付画面は、前記第１種受付画面領域４１０５ａにウィザード表示形式に基づいて第１種受付画面が切り替えられても、該第１種受付画面が表示部４１０に表示されている間は、表示制御部５２２により表示されるようになっている。
【００９１】
そして、表示制御部５２２は、全ての設定についての受付画面の表示処理及び設定内容の受付処理を完了すると（Ｓ３８でＮＯ）、表示部４１０に、この時点で受け付けられている設定内容（Ｓ３６等において指示受付部５２３により受け付けられた上記各設定の内容等）を並べて一覧表示した画像と、当該一覧表示した各設定の内容で機能を実行する機能実行指示を受け付けるための機能実行ボタン（図１０の４１１０ｂ)と、当該一覧表示した各設定の内容を変更する指示を受け付けるための（図１０の設定変更ボタン４１１０ｃ）とを有する確認画面４１１０を表示部４１０に表示させる（Ｓ３９）。そして、機能実行ボタン４１１０ｂが押下され、指示受付部５２３に、一覧表示した各設定の内容で機能を実行する指示が受け付けられると（Ｓ４０で「機能実行指示」）、制御部５２１は、当該一覧表示されている各設定の内容で機能（コピー動作等）を実行させる（Ｓ４１）。なお、全ての設定についての受付画面の表示処理及び設定内容の受付処理を完了していない場合は（Ｓ３８でＹＥＳ）、処理をＳ３５に戻す。
【００９２】
以上のように、本実施形態では、複合機１における各処理項目を、ウィザード形式で表示される第１種受付画面で設定するメインの処理項目とは別に、ウィザード形式と異なる表示形式で表示される第２種受付画面で設定値を設定するサブの処理項目を設定できるようにしたので、サブの処理項目についての設定値をウィザード形式で表示される受付画面で設定入力する必要がなくなる分、各処理項目の設定値をウィザード形式で表示される受付画面のみで設定入力できるようにする構成に比して、電気機器に処理項目の設定値をユーザが登録する際の、ユーザにとって不要な案内表示を削減することが可能となる。
【００９３】
また、前記第１種受付画面が前記表示部４１０に表示されている間、前記第２種受付画面も前記表示部４１０に表示させるようにしたので、ユーザは、メインの処理項目の設定値の設定入力とサブの処理項目の設定値の設定入力とを同時並行的に行うことができる。これにより、例えば前記第１種受付画面を用いたメインの処理項目の設定値の設定入力が完了した後に、前記第２種受付画面を用いたサブの処理項目の設定値の設定入力を行う構成に比して、各処理項目の設定値の設定入力を早く終えることができる。
【００９４】
なお、上記各実施形態では、本発明に係る電気機器の一例を画像形成装置、すなわち複合機１として説明したが、本発明に係る電気機器は複合機に限られず、他の画像形成装置（コピー機、ファクシミリ装置、スキャナ装置、プリンタ等）であっても構わないし、更には、洗濯機、炊飯器、オーディオ機器等、画像形成装置とは異なる他の電気機器であっても構わない。
【符号の説明】
【００９５】
１          複合機
５１        制御部
５２１      記憶部
５２２      表示制御部
５２３      指示受付部
５２４      表示形式受付部
５２５      テンプレート選択受付部
４００      操作部
４１０      表示部
４３０      操作キー部
４３３      テンキー
４５０      ワークフローボタン
４１０１    ワークフロー画面
４１０１ａ〜４１０１ｆ  ワークフロー画像
４１０１ｇ  新規登録／削除ボタン
４１０２    削除画面
４１０２ａ  新規登録ボタン
４１０２ｂ  削除ボタン
４１０３    削除対象選択画面
４１０４    テンプレート選択画面
４１０５    受付画面
４１０６    表示形式選択画面
４１０６ａ  ウィザード形式表示ボタン
４１０６ｂ  一覧表示ボタン
【図１】
2011159045.tif 000003
【図２】
2011159045.tif 000004
【図３】
2011159045.tif 000005
【図４】
2011159045.tif 000006
【図５】
2011159045.tif 000007
【図６】
2011159045.tif 000008
【図７】
2011159045.tif 000009
【図８】
2011159045.tif 000010
【図９】
2011159045.tif 000011
【図１０】
2011159045.tif 000012
【図１１】
2011159045.tif 000013